(57)【要約】      （修正有）【課題】使用時のみゴミ箱としての原形を成し、使用しないときは邪魔にならずコンパクトに収納でき、置いても、貼り付けても、つり下げても使用できる構造とするゴミ箱を提供する。【解決手段】軟性な材質で、１枚の板状で構成される本体部１と、１枚の帯状で構成されるつり下げ部と、吸盤とで構成され、丸めて接合すれば中空洞の筒状を成す簡易ゴミ箱と、ゴミ等を入れるポリ袋や水切りネット等と一体で用いるものであって、使用時は金属板やタイル、ガラス等に貼り付けたり、置いたり、つり下げても使用でき構造で、使用しないときは、コンパクトに収納できる構造とする。【選択図】図１
2018008773.tif 000002
【特許請求の範囲】
【請求項１】
ゴミなどを入れるポリ袋や生ゴミを処理する水切りネット等と一体で用いるものであっ  て、軟性  な材質で１枚の板状で形成される本体部と、つり下げ部を構成する１枚の帯状  とで構成され、前  記本体部の左右いずれか一方の中央片端に、吸盤を取り付ける切り込  み線を伴う穴を配し、前記  穴の中心点から線上で結ぶもう一方の中央片端には、前記吸  盤底部を通す切り込み線を伴うサイ  ズ調整穴を横並びに数か所設けた構造とし、前記つ  り下げ部を構成する１枚の帯状には、前記吸  盤底部を通す切り込み線を伴う穴と、前記  つり下げ部を構成する帯状のものを丸めて輪っか状が  形成されるよう、前記帯状の片面  片端に、両面ファスナーの雄面と、同片面略中央部に雌面を設  けて接合し、前記帯状に  設けた切り込み線を伴う穴に吸盤底部を通し、さらに、前記本体部中央  片端に設けた切  り込み線を伴う穴に、前記吸盤底部を通すと前記本体部と、前記つり下げ部を構  成する  帯状が重なり合い、さらに、前記本体部中央片端に設けた吸盤底部を通す切り込み線を    伴うサイズ調整穴のいずれかに、前記本体部とつり下げ部の帯状に通した吸盤底部を通  すと中空  洞の筒状が形成され、中空洞のいずれか一方の開口部内側へ前記ポリ袋や水切  りネットを装着す  る構造としたことを特徴とするゴミ箱。
【請求項２】
前記本体部の中央部分の上下に、切り込み留め部を設けたことを特徴とする請求項１に  記載する  ゴミ箱。
【請求項３】
前記輪っか状に接合された、つり下げ部に設けた両面ファスナーの雄面と雌面をはずし
、丸めて輪っか状が形成されるよう、前記帯状の裏面片端に両面ファスナーの雌面を設  け、前記  中空洞で筒状の本体部を押しつぶして、前記帯状を１周回して巻き付け、両面  ファスナーで接合  すると、前記簡易ゴミ箱が略平面状になることを特徴とする請求項１  ないし２に記載するゴミ箱  。
【発明の詳細な説明】
【技術分野】
【０００１】
本発明は、ポリ袋や水切りネット等と一体で用いるゴミ箱であって、１枚の板状で形
成される本体部と、１枚の帯状で形成されるつり下げ部とで構成され、該板状には接
着具を配し、前記帯状には両面ファスナーの雄面と雌面を具備し、テーブルに置いた    り壁や    金属板の物などに貼り付けたり、つり下げても使用でき、使用しない場合は邪魔にならないよう    平面状や、コンパクトに折り曲げて収納できるよう対策を施したゴ    ミ箱に関するものである    。
【背景技術】
【０００２】
従来から、ゴミ箱に関する器具は、種々の構造のものが提案されているが、その大半    は、底    板を有した固定型形状で、置いて使用するゴミ箱が多かった。
【０００３】
しかしながら、ゴミ箱を固定形状にすると置くスペースが必要であったり、置いたゴ    ミ箱を    足で引っ掛けて倒すと、ゴミ箱に入れたゴミが散乱し、掃除機などで掃除をし    たりする必要    があり、色々な問題点があった。
【０００４】
また、流し台のシンクで、調理中に出る生ゴミを入れるゴミ箱として多くの方が使用    してい    るのが、プラスチック製の三角コーナーであるが、形状が固定型のため邪魔に
なったり、水切り溝の隙間に黒カビが生え、溝に付いた黒カビを取るのに時間がかか    ったり    、不衛生であった。
【０００５】
また、通常の置き型のゴミ箱においても、底板面にゴミが付着したり、カビが発生し    たりし    不衛生であるのと、ゴミ箱自体をいちいち洗うのも面倒であった。
【０００６】
また、通常のゴミ箱は置いて使用する形態が主流であり、壁面に貼り付けたり、つり    下げて    空間利用できるゴミ箱はあまり無く、まして、ゴミ箱が使用時よりコンパクト    に収納できる    ものは無かった。
（特許文献１）
【先行技術文献】
【特許文献】
【０００７】
【特許文献１】特開２０１１−１４８５８２
【発明の概要】
【発明が解決しようとする課題】
【０００８】
従って、本発明の目的は、形状を固定型にせず、使用時のみゴミ箱の形状を成し、使    用しな    い場合は、平面状になったり、折り曲げてコンパクトに収納できるゴミ箱を提供することにある    。
【課題を解決するための手段】
【０００９】
次に、上記課題を解決するために、その手段を説明する。
【００１０】
請求項１に記載の発明は、ゴミなどを入れるポリ袋や生ゴミを処理する水切りネット    等と一    体で用いるものであって、軟性な材質で１枚の板状で形成される本体部と、つ    り下げ部を構    成する１枚の帯状とで構成され、前記本体部の左右いずれか一方の中央    片端に、吸盤を取り    付ける切り込み線を伴う穴を配し、前記穴の中心点から線上で結    ぶもう一方の中央片端には    、前記吸盤底部を通す切り込み線を伴うサイズ調整穴を横    並びに数か所設けた構造とし、前    記つり下げ部を構成する１枚の帯状には、前記吸盤    底部を通す切り込み線を伴う穴と、前記    つり下げ部を構成する帯状のものを丸めて輪    っか状が形成されるよう、前記帯状の片面片端    に、両面ファスナーの雄面と、同片面    略中央部に雌面を設けて接合し、前記帯状に設けた切    り込み線を伴う穴に吸盤底部を    通し、さらに、前記本体部中央片端に設けた切り込み線を伴    う穴に、前記吸盤底部を    通すと前記本体部と、前記つり下げ部を構成する帯状が重なり合い    、さらに、前記本    体部中央片端に設けた吸盤底部を通す切り込み線を伴うサイズ調整穴のい    ずれかに、    前記本体部とつり下げ部の帯状に通した吸盤底部を通すと中空洞の筒状が形成さ    れ、    中空洞のいずれか一方の開口部内側へ前記ポリ袋や水切りネットを装着する構造とし        たことを特徴とするゴミ箱。
【００１１】
請求項２に記載の発明は、前記本体部の中央部分の上下に、切り込み留め部を設けた    ことを    特徴とするゴミ箱。
【００１２】
請求項３に記載の発明は、前記輪っか状に接合された、つり下げ部に設けた両面ファ    スナー    の雄面と雌面をはずし、丸めて輪っか状が形成されるよう、前記帯状の裏面片    端に両面ファ    スナーの雌面を設け、前記中空洞で筒状の本体部を押しつぶして、前記    帯状を１周回して巻    き付け、両面ファスナーで接合すると、前記簡易ゴミ箱が略平面    状になることを特徴とする    ゴミ箱。
【発明の効果】
【００１３】
本発明は以上のように構成されているので、以下に記載されるような効果を奏す。
【００１４】
料理中に出る不要な生ゴミは、通常、シンク内にプラスチック製の三角コーナーを置    き、水    切りネットをかぶせて使用するのが一般的である。その場合、三角コーナーが
邪魔になったり、三角コーナー自体に黒カビが発生したりして、それを洗うのにカビ    が完全    に取れるのに手間がかかるのと不衛生であった。本発明のゴミ箱は、使用時の    みゴミ箱の形    状を成し、使用しない場合は、板状やコンパクトに折り曲げてシンク内    に張り付けて収納で    きるので利便性が高まる。また、洗う場合も平面状になるため洗    いやすく、カビも落としや    すく衛生的である。
【００１５】
通常、一般的に市販されているゴミ箱の大半は、その形状、大きさは違っても必ず底    板があ    り、形状が固定化されているため置いていて邪魔になる場合があったり、底内    部に汚れがで    きたり、カビなどが発生したりするので洗うのが面倒であった。本発明    のゴミ箱は洗う手間    が極端に少なく、衛生面が保たれるのとコンパクトに収納できる    構造なので利便性が高い。    
【００１６】
本発明の簡易ゴミ箱は、置いてもあらゆる面に貼り付けたり、つり下げても使用でき    る構造    のため利便性が高い。
【００１７】
本発明の簡易ゴミ箱は、簡易構造のため製造原価が抑えられ安価で提供できる。
【００１８】
本発明の簡易ゴミ箱は、室内に限らず車内やベビーカーにつり下げて使用すると利便    性の効    果が高まる。
【００１９】
本発明の簡易ゴミ箱は、接着具として吸盤を使用しているが、この接着具だけに限定    するも    のでは無い。例えば、磁石や線ファスナー等を使用することも可能である。
【図面の簡単な説明】
【００２０】
【図１】ゴミ箱本体の展開平面図である。
【図２】つり下げ部の展開平面図である。
【図３】つり下げ部に吸盤を取り付けた平面図である。
【図４】つり下げ部に吸盤を取り付けた側面図である。
【図５】ゴミ箱本体とつり下げ部に吸盤を取り付けた側面図である。
【図６】つり下げ部に両面ファスナーの雄面と雌面を取り付けた平面図である。
【図７】つり下げ部に両面ファスナーの雌面を取り付けた平面図である。
【図８】ゴミ箱を組み立てた状態を示す斜視図である。
【図９】ゴミ箱を組み立てた状態を示す斜視図である。
【図１０】ゴミ箱にポリ袋を取り付け金属板に貼り付けた状態の斜視図である。
【図１１】ポリ袋を取り付けたゴミ箱をつり下げた状態を示す斜視図である。
【図１２】ゴミ箱にポリ袋を取り付けポリ袋の縁部を切り込み留め部に挟み込み固                                  定した状態を示す斜視図である。
【図１３】ポリ袋にゴミが入った状態を示す斜視図である。
【図１４】ゴミ箱を押つぶし、つり下げ部を１周回して巻き付けて収納した状態を                                  示す斜視図である。
【発明を実施するための形態】
【００２１】
以下、図面を参照しつつ本発明を実施するための最良の形態について説明する。
【００２２】
図１は、本発明のゴミ箱本体１の製作上の一実施例を示す平面展開図である。本発明    のゴミ    箱は、ゴミ６等を入れるポリ袋４や生ごみを処理する水切りネット等と一体で    用いるもので    ある。ゴミ箱本体１の大きさにより、具備する吸盤３の数は変化する。    ゴミ箱本体１は丸め    ることにより、ゴミ箱としての形状を成すため、材質は軟性な素    材を使用する。図１は、接    着具に吸盤３を使用した実施例であり、１枚の板状で形成    されるゴミ箱本体部１の左右いず    れか一方の中央片端に、吸盤３を取り付ける切り込    み線cを伴う吸盤底部通し穴bを配し、    前記穴bの中心点から線上で結ぶもう一方の中央片端には、前記吸盤底部３aを通す切り込み線    cを伴う吸盤底部通し穴a1〜a3を横並びに数か所設けた構造とした。吸盤底部通し穴a1〜a3を数    か所設けることにより、サイズの異なるポリ袋４が装着できる。ゴミ６の重さでポリ袋４が下に    抜け落ちないよう、前記ゴミ箱本体部１の中央部上下に、切り込み留め部d,d1を設け、折り返し    たポリ袋縁部４aを、切り込み止め部d,d1に挟み込むことで、ポリ袋４が下に抜け落ちない構造    としたものである。
【００２３】
図２は、つり下げ部２を示す平面展開図である。前記つり下げ部２を構成する帯状の
いずれか一方の片端に、吸盤３を取り付ける切り込み線cを伴う吸盤底部通し穴b1を    設けた    構造としたものである。
【００２４】
図３は、つり下げ部２に設けた切り込み線cを伴う吸盤底部通し穴b1に、吸盤３を取    り付け    た状態を示す平面図である。
【００２５】
図４は、前記つり下げ部２に吸盤３を取り付けた状態を示す側面図である。
【００２６】
図５は、前記つり下げ部２と前記ゴミ箱本体部１に吸盤３を取り付けると、つり下げ    部２と    ゴミ箱本体部１が重なり合う構造とした。
【００２７】
図６は、帯状のつり下げ部２を丸めて接合すれば、輪っか状が形成され、棒等につり    下げら    れるよう、つり下げ部２片面片端に両面ファスナーの雄面fと、同面略中央部    に両面ファス    ナーの雌面e1を配した構造とした。
【００２８】
図７は、帯状のつり下げ部２を丸めて接合すれば、輪っか状が形成され、ゴミ箱本体
１を押しつぶして、１周回して巻き付けるとゴミ箱本体１がコンパクトに収納できる    よう、    前記つり下げ部２に設けた両面ファスナー雄面fの裏面逆片端に、両面ファス    ナー雌面eを    配した構造とした。
【００２９】
図８は、ゴミ箱本体１とつり下げ部２を吸盤３で接合すると、中空洞で筒状の構造と    なるゴ    ミ箱である。
【００３０】
図９は、組み立てたゴミ箱を側面から見たものである。
【００３１】
図１０は、ゴミ箱の使用時を示したもので、組み立てたゴミ箱の内側にポリ袋４を入    れ、ポ    リ袋の縁部４aを外側に折り返して装着したものである。
【００３２】
図１１は、前記ポリ袋４を折り返して装着したポリ袋の縁部４aを、ポリ袋４に入れ    たゴミ    の重みでポリ袋４が抜け落ちないように、切り込み留め部d1にポリ袋４のポリ    袋縁部４aを    挟み込む構造としたものである。
【００３３】
図１２は、棒５等に吊るして使用できる構造であることを示すものである。つり下げ    部２に    設けた、両面ファスナーの雄面fと両面ファスナーの雌面e1とを、棒５を挟ん    で接合した状    態を示す。
【００３４】
図１３は、ゴミ箱の使用状態を示すものである。ゴミ箱本体１にポリ袋４を装着し、    ポリ袋    ４の中にゴミ６を入れた状態を示す。
【００３５】
図１４は、ゴミ箱本体１をコンパクトに収納できる状態を示すものであり、ゴミ箱本    体１を    押しつぶして、つり下げ部２を１周巻き付け、つり下げ部１に設けた両面ファ    スナー雄面f    を両面ファスナー雌面eに接合させることで、ゴミ箱本体１が略平面上に収納できる構造とした    。つり下げ部２は、つり下げができる機能と、ゴミ箱本体１を巻き付ける機能の２つを有する構    造である。
【符号の説明】
【００３６】
１              ゴミ箱本体
２              つり下げ部
３              吸盤
３a             吸盤底部
４              ポリ袋
４a             ポリ袋縁部
５              棒
６              ゴミ
a1              吸盤底部通し穴
a2              吸盤底部通し穴
a3              吸盤底部通し穴
b               吸盤底部通し穴
b1              吸盤底部通し穴
c               切り込み線
d               切り込み留め部
d1              切り込み留め部
e               両面ファスナー雌面
e1              両面ファスナー雌面
f               両面ファスナー雄面
【図１】
2018008773.tif 000003
【図２】
2018008773.tif 000004
【図３】
2018008773.tif 000005
【図４】
2018008773.tif 000006
【図５】
2018008773.tif 000007
【図６】
2018008773.tif 000008
【図７】
2018008773.tif 000009
【図８】
2018008773.tif 000010
【図９】
2018008773.tif 000011
【図１０】
2018008773.tif 000012
【図１１】
2018008773.tif 000013
【図１２】
2018008773.tif 000014
【図１３】
2018008773.tif 000015
【図１４】
2018008773.tif 000016
【手続補正書】
【提出日】平成29年7月19日(2017.7.19)
【手続補正１】
【補正対象書類名】特許請求の範囲
【補正対象項目名】全文
【補正方法】変更
【補正の内容】
【特許請求の範囲】
【請求項１】
ゴミを入れるポリ袋や生ゴミを処理する水切りネットと一体で用いるものであって、軟性な材質で１枚の板状で形成される本体部と、つり下げ部を構成する１枚の帯状とで構成され、前記本体部の左右いずれか一方の中央片端に、吸盤を取り付ける切り込み線を伴う穴を配し、前記穴の中心点から線上で結ぶもう一方の中央片端には、前記吸盤部を通す切り込み線を伴うサイズ調整穴を横並びに数か所設けた構造とし、前記つり下げ部を構成する１枚の帯状には、前記吸盤底部を通す切り込み線を伴う穴と、前記つり下げ部を構成する帯状のものを丸めて輪っか状が形成されるよう、前記帯状の片面に、両面ファスナーの雄面と、同片面略中央部に雌面を設けて接合し、前記帯状に設けた切り込み線を伴う穴に吸盤底部を通し、さらに、前記本体部中央片端に設けた切り込み線を伴う穴に、前記吸盤底部を通すと前記本体部と、前記つり下げ部を構成する帯状が重なり合い、さらに、前記本体部中央片端に設けた吸盤底部を通す切り込み線を伴うサイズ調整穴のいずれかに、前記本体部とつり下げ部の帯状に通した吸盤底部を通すと中空洞の筒状が形成され、中空洞のいずれか一方の開口部内側へ前記ポリ袋や水切りネットを装着する構造としたことを特徴とするゴミ箱。
【請求項２】
前記本体部の中央部分の上下に、切り込み留め部を設けたことを特徴とする請求項１に記載するゴミ箱。
【請求項３】
前記輪っか状に接合された、つり下げ部に設けた両面ファスナーの雄面と雌面をはずし、丸めて輪っか状が形成されるよう、前記帯状の裏面片端に両面ファスナーの雌面を設け、前記中空洞で筒状の本体部を押しつぶして、前記帯状を１周回して巻き付け、両面ファスナーで接合すると、前記本体部が略平面状になることを特徴とする請求項１ないし２に記載するゴミ箱。